(57)【要約】　【課題】　操作パネルを拡大して使用することが可能な電子機器を提供する。【解決手段】　電子機器１０は、筐体１１の前面側の内部左右側面に摺動溝１２が垂直に形成され、摺動溝１２に第１のパネル３０が摺動自在に持設される。また、第１パネル３０の左右側面に垂直に形成された摺動溝３３に第２のパネル４０が摺動自在に持設される。第１のパネル３０の下端部は、第１ラック１３が回動自在に枢支され、第１ラック１３が第１駆動源１５により駆動されることにより第１のパネル３０が回動される。また、第２のパネル４０の下端部は、第２ラック１８に回転自在に枢支され、第１ラック１３上に載置された第２駆動源１９により駆動される第２ラック１８により第２のパネル４０が回動される。【選択図】　図１
2004119005.tif 000002
【特許請求の範囲】
【請求項１】
　機器本体の前方に配され、前記機器本体の前面に設けられた挿入口を開放する開放位置と閉鎖する閉鎖位置との間で移動可能な第1のパネルと、
　前記第１のパネルの前方に配され、前記第1のパネルの前面を露出する露出位置と前記前面を覆う被覆位置との間で移動可能な第2のパネルと、
　前記第1のパネル及び前記第2のパネルを移動させる駆動機構と、
　前記第1のパネル及び前記第2のパネルを移動させる旨の指令を発する指令手段と、を有し、
　前記駆動機構は、前記指令手段により指令が発せられると、前記閉鎖位置にある前記第1のパネルと前記被覆位置にある前記第2のパネルのそれぞれを前記開放位置と前記露出位置に移動させることを特徴とする電子機器。
【請求項２】
前記駆動機構は、前記第2のパネルが前記被覆位置にある状態で前記第1のパネルを前記開放位置に移動させた後、前記第2のパネルを前記露出位置に移動させることを特徴とする請求項１に記載の電子機器。
【発明の詳細な説明】
【技術分野】
【０００１】
　本発明は、車載用電子機器に係り、特に、操作パネルを回動展開することで、広い操作パネルを得るようにした電子機器の構造に関する。
【背景技術】
【０００２】
　従来から、電子回路の高密度化や小型化の発展に伴い、電子機器の多機能化が益々盛んに行われている。特に車載用電子機器の場合は、規定形状の操作パネル内に、チューナの選局釦や表示装置を設けると共に、例えばＭＤやＣＤ等の記録媒体を挿入する挿入口を設ける必要があり、電子機器の機能の向上と共に、操作パネルの有効利用や操作性の向上が求められている。記録媒体の挿入口は、各種操作釦や表示装置のデッドスペースになることから、電子機器の操作パネルを回動し、開放された電子機器の内部にＭＤやＣＤ等の記録媒体の挿入口を設けるオペレーションフラップと呼ばれる構造が種々提案されている。このように構成にすれば、表示パネルが回動によって解放された電子機器の内部にＭＤやＣＤ等の記録媒体を挿入する挿入口を設けることができると共に、表示パネルが傾斜した状態で表示パネルの表示面に設けられた操作部を操作することができ、表示パネルの有効利用が可能であると共に、操作性の向上が可能となる。
【特許文献１】特開平９−２３７９７８号公報
【発明の開示】
【発明が解決しようとする課題】
【０００３】
　しかし、この場合は、操作パネルから記録媒体の挿入口が無くなっただけなので、挿入口に相当する範囲でしか機能の向上が図れない。例えば、ＭＤとＣＤの挿入口や再生装置を電子機器の内部に設けることが可能であれば、複数のＣＤの音楽情報をＭＤにダビングして、好みのアルバムを作ることができる。この場合は、フェードイン、フェードアウト等のダビング用の釦やダビングモードの表示用の表示装置も必要となる。
【０００４】
　電子機器の小型化が進み、限定されたスペースに多くの機能を取り入れることが可能となるが、これに伴い、これらを操作する操作釦の数も増加し、操作パネルの操作性が悪化する。即ち、操作パネルを回動する従来のオペレーションフラップ等の方法でも操作性の向上が妨げられると言う問題があった。本発明は上記問題点に鑑みなされたものであり、その目的は、操作パネルを拡大して使用することが可能な電子機器を提供することである。
【課題を解決するための手段】
【０００５】
　請求項１に記載の発明は、機器本体の前方に配され、前記機器本体の前面に設けられた挿入口を開放する開放位置と閉鎖する閉鎖位置との間で移動可能な第1のパネルと、前記第１のパネルの前方に配され、前記第1のパネルの前面を露出する露出位置と前記前面を覆う被覆位置との間で移動可能な第2のパネルと、前記第1のパネル及び前記第2のパネルを移動させる駆動機構と、前記第1のパネル及び前記第2のパネルを移動させる旨の指令を発する指令手段と、を有し、前記駆動機構は、前記指令手段により指令が発せられると、前記閉鎖位置にある前記第1のパネルと前記被覆位置にある前記第2のパネルのそれぞれを前記開放位置と前記露出位置に移動させることを特徴とする電子機器である。
【発明を実施するための最良の形態】
【０００６】
　図１は、本発明の一実施形態による電子機器の要部構造図であり、図１（ａ）に電子機器の上面図を、図１（ｂ）に電子機器の側面図を示した。図１を用いて電子機器の構造を説明する。
【０００７】
　電子機器１０は、筐体１１の前面側の内部左右側面に摺動溝１２（１２ａ、１２ｂ）が垂直に形成され、当該摺動溝１２の下端部は、Ｌ状に前面方向に湾曲している。電子機器１０の前面には、筐体１１の前面を閉塞するように第１のパネル３０（以下第１パネル３０と記す）が配置され、筐体１１の内部左右側面に形成された摺動溝１２に第１パネル３０の左右側面に形成された第１ガイド手段であるガイドピン３２（３２ａ、３２ｂ）が摺動自在に持設される。
【０００８】
　また、第１パネル３０の左右側面に形成された摺動溝３３（３３ａ、３３ｂ）には、第２のパネル４０（以下第２パネル４０と記す）の左右側面に形成された第２ガイド手段であるガイドピン４４（４４ａ、４４ｂ）が摺動自在に持設される。
【０００９】
　電子機器１０の内部には、第１パネル３０の下端部を枢支し、前後方向に移動させる第１移動部材である第１ラック１３が保持部１４により摺動自在に保持されている。第１ラック１３は、第１駆動源１５に回転駆動される第１ギア１６に噛合される。第１ラック１３の前面側の先端には、回動ピン１７が植設され、後述する第１パネル３０に形成された回動穴３４に回動自在に挿入される。
【００１０】
　また、電子機器１０の内部には、第２パネル４０の下端部を枢支し、前後方向に移動させる第２移動部材である第２ラック１８が保持部１４により摺動自在に保持されている。第２ラック１８は、第２駆動源１９に回転駆動される第２ギア２０に噛合される。第２ラック１８の前面側の先端には、Ｌ状に湾曲した支持片２１が形成され、当該支持片２１に回動穴２２が形成され、後述する第２パネル４０に植設された回動ピン３４により回転自在に軸着される。
【００１１】
　第１駆動源１５は、図示しない駆動モータと減速ギアとで構成され、第１駆動モータの回転を減速ギアで減速し、第１ギア１６に伝達する。駆動モータの回転運動は、第１ギア１６と第１ラック１３が噛合することにより第１ラック１３の直線運動に変換される。また、第２駆動源１９は、上記同様図示しない第２駆動モータと減速ギアとで構成され、第２駆動モータの回転を減速ギアで減速し、第２ギア２０に伝達する。第２駆動モータの回転運動は、第２ギア２０と第２ラック１８が噛合することにより第２ラック１８の直線運動に変換される。
【００１２】
　第２駆動源１９は、第１ラック１３上に載置され、第１ラック１３が前後方向に移動するに伴って移動すると共に、第１ラック１３上で第２ラック１８を前後方向に移動させることが可能である。その他、電子機器１０の内部には、例えばＣＤ再生装置２３及びＭＤ再生装置２４が配設されている。
【００１３】
　図２は第１パネル３０の拡大図であり、図２（ａ）に第１パネル３０の上面図を、図２（ｂ）に第１パネル３０の正面図を、図２（ｃ）に第１パネル３０の左側面図を示した。
【００１４】
　第１パネル３０は、天部側の左右側面に円柱台３１（３１ａ、３１ｂ）が形成され、当該円柱台３１の高さは、後述する第２パネル４０の肉厚よりも若干高く形成されている。また、当該円柱台３１と同心円上に筐体１１の摺動溝１２を摺動する円柱状のガイドピン３２が形成されている。第１パネル３０の左右側面には、操作面３５と平行に摺動溝３３が形成されている。また、第１パネル３０は、底部側の左内面に回動穴３４が形成され、第１ラック１３の回動ピン１７が回転自在に装着される。第１パネル３０の操作面３５には、複数の操作釦３６または、例えば液晶等表示装置３７等のいずれか、或は両方が配設されている。
【００１５】
　図３は第２パネル４０の拡大図であり、図３（ａ）に第２パネル４０の上面図を、図３（ｂ）に第２パネル４０の正面図を、図３（ｃ）に第２パネル４０の側面図を示した。
【００１６】
　第２パネル４０は、底部側の左側面に第１パネル３０の左側面の一部を覆う突出部４１が形成され、当該突出部４１の内側に円柱状の回動ピン４２が植設されている。第２パネル４０は、天部側の内部左右側面に第１パネル３０に形成された摺動溝３３を摺動する円柱状のガイドピン４４が形成されている。第２パネル４０の操作面４５には、上記第１パネル３０及び第２パネル４０を回動する各種モードを設定するモード釦、即ち表示操作釦４６、挿入操作釦４７、操作拡大釦４８及び閉釦４９等を含む各種操作釦類５０または、例えばチューナ用表示装置５１等のいずれか、或は両方が配設されている。
【００１７】
　第２パネル４０のガイドピン４４の径は、第１パネル３０の摺動溝３３の幅より若干小さく形成されると共に、ガイドピン４４の高さは、摺動溝３３の深さより若干低く形成されているので、第２パネル４０のガイドピン４４を第１パネル３０の摺動溝３３に嵌入することにより、第２パネル４０が第１パネル３０に対して摺動及び回動自在に軸着される。また、同様に第１パネル３０のガイドピン３２の径は、筐体１１の摺動溝１２の幅より若干小さく形成されると共に、ガイドピン３２の高さは、摺動溝１２の深さより若干低く形成されているので、第１パネル３０のガイドピン３２を筐体１１の摺動溝１２に嵌入することにより、第１パネル３０が筐体１１に対して摺動及び回動自在に軸着される。
【００１８】
　第２パネル４０の操作面４５の外形は、第１パネル３０の操作面３５の外形よりも広く形成されているので、第２パネル４０のガイドピン４４を第１パネル３０の摺動溝３３に嵌入した状態で、第１パネル３０のガイドピン３２だけが第１パネル３０及び第２パネル４０の左右側面から突出した状態となる。第２パネル４０の外形は、筐体１１の前面開口部より若干狭く形成しているので、第１パネル３０の前面を覆う被覆位置に第２パネル４０が配置（以下載置状態と記す）されても第１パネル３０と第２パネル４０は筐体１１の前面内部に移動自在に挿入される。
【００１９】
　第２パネル４０の回動ピン４２は、第１パネル３０の回動穴３４と同軸上に形成され、且つ回動ピン４２に軸着される第２ラック１８は、前面側がＬ状に湾曲した形状に形成しているので、第１パネル３０と第２パネル４０が載置状態であっても第１パネル３０と第２パネル４０が共に回動する。
【００２０】
　図４に本発明の電子機器１０のブロック図を示した。
【００２１】
　本発明の電子機器１０は、制御手段であるＣＰＵ１００と、第２パネル４０の操作面４５上に配設された操作釦類５０の中のどのモード釦が押下されたかを検出する駆動指令入力手段１０１と、第１パネル３０のガイドピン３２と第１パネル３０の下端部を枢支し前後方向に移動させる第１ラック１３と第１ラック１３を駆動する第１駆動源１５により構成される第１の駆動手段１０２と、第２パネル４０のガイドピン４４と第２パネル４０の下端部を枢支し前後方向に移動させる第２ラック１８と第２ラック１８を駆動する第２駆動源１９により構成される第２の駆動手段１０２と、第１位置検出手段１０４及び第２位置検出手段１０５とで構成している。
【００２２】
　第１位置検出手段１０４は、第１パネル３０のガイドピン３２が筐体１１の摺動溝１２のどの位置にあるかを検出するため、図示せぬ第１位置検出器が筐体１１の摺動溝１２の上端部及び下端部にそれぞれ設けられている。また、第２位置検出手段１０５は、第２パネル４０のガイドピン４４が第１パネル３０の摺動溝３３のどの位置にあるかを検出するため、図示せぬ第２位置検出器が第１パネル３０の摺動溝３３の上端部及び下端部にそれぞれ設けられている。例えば、第１パネル３０のガイドピン３２が筐体１１の摺動溝１２の上端部に位置している時は、第１パネル３０が閉じられた状態であり、これを第１パネル３０の閉状態または閉位置（閉鎖位置）と呼ぶことにする。
【００２３】
　また、第１パネル３０のガイドピン３２が筐体１１の摺動溝１２の下端部に位置している時は、第１パネル３０が開放された状態であり、これを第１パネル３０の開状態または開位置と呼ぶことにする。同様に、第２パネル４０のガイドピン４４が第１パネル３０の摺動溝３３の上端部に位置している時は、第２パネル４０が第１パネル３０の前面を被覆した状態であり、これを閉状態または閉位置（被覆位置）、摺動溝３３の下端部に位置している時は、第１パネル３０の前面を露出した状態であり、これを第２パネル４０の開状態または開位置（露出位置）と呼ぶことにする。
【００２４】
　上記第１位置検出手段１０４及び第２位置検出手段１０５の出力は、ＣＰＵ１００に供給される。ＣＰＵ１００は、駆動指令入力手段１０１から供給される信号と、第１位置検出手段１０４及び第２位置検出手段１０５から供給される信号に基づき第１駆動源１５及び第２駆動源１９の駆動及び停止の制御を行う。
【００２５】
　次に、本発明の実施形態の動作を説明するに際し、本発明の電子機器１０は、上述したように２つのパネルを有しているので、パネルを回動するモードが複数存在する。そこで、図５及び図６に示す第１パネル３０だけを回動するモードを表示操作モードと呼び、図７に示す第１パネル３０と第２パネル４０が載置状態で回動するモードを挿入操作モードと呼び、図８に示す第１パネル３０と第２パネル４０を共に回動するモードを操作拡大モードと呼び、以下これらのモードの開動作及び閉動作を個別に説明する。
【００２６】
　表示操作モードの開動作及び閉動作の説明
　図５及び図６は、表示操作モードの開状態を示す電子機器１０の要部構造図である。図５に第２パネル４０が僅かに回動した状態を示す電子機器１０の側面図を、図６に第２パネル４０が完全に開放された時の側面図を示した。
【００２７】
　先ず、第１パネル３０と第２パネル４０が共に閉状態の初期状態にあり、第２パネル４０の操作面４５に配置された表示操作釦４６が操作者によって押下される。
【００２８】
　ＣＰＵ１００は、第１位置検出手段１０４及び第２位置検出手段１０５から閉状態を示す信号を検出すると共に、表示操作釦４６が押下されたことを検出すると、第２パネル４０の開動作を開始する。即ち、ＣＰＵ１００は、第２駆動源１９に制御信号を送出し、第２駆動源１９に内蔵された駆動モータを正方向に回転駆動する。駆動モータの回転は、減速ギアで減速され、第２ギア２０に伝達される。第２ギア２０の回転運動は、第２ラック１８の直線運動に変換され、保持部１４に保持された第２ラック１８を図中矢印Ａ方向に移動する。
【００２９】
　第２ラック１８の先端は、第２パネル４０の回動ピン４２に回動自在に枢支されているので、第２ラック１８の移動に協働して第２パネル４０の下端部を矢印Ａ方向に押圧する。第２パネル４０の天部は、ガイドピン４４により第１パネル３０の摺動溝３３に摺動自在に嵌入されているので、第２パネル４０の下端部が第２ラック１８により前面方向に押圧されるのに伴い、第２パネル４０の天部を矢印Ｂ方向に摺動する。第２ラック１８は、直線状に移動し、第２パネル４０の下端部を回動ピン４２を支点に回動する。
【００３０】
　図６に示すように第２パネル４０のガイドピン４４が摺動溝３３の下端部まで摺動されると、第２位置検出器から閉状態に至ったことを示す検出信号がＣＰＵ１００に送出される。ＣＰＵ１００は、第２位置検出器からの検出信号を受けると、第２駆動源１９の駆動モータを停止する。
【００３１】
　また、操作面４５に配置された閉釦４９が操作者によって押下されると、ＣＰＵ１００は、第１位置検出器及び第２検出器からの信号により、現在のモードが表示操作モードであると認識すると共に、閉釦４９が押下されたことを検出し、第２パネル４０の閉動作を行う。ＣＰＵ１００は、第２駆動源１９に制御信号を送出し、第２駆動源１９の駆動モータを逆方向に回転駆動する。
【００３２】
　第２パネル４０は、第２ラック１８により矢印Ｃ方向の力を受けると、第２パネル４０のガイドピン４４が摺動溝３３に沿って移動する。摺動溝３３の下端部はＬ状に湾曲しているので、矢印Ｄ方向の応力が生じ、第２パネル４０の天部は容易に上方に摺動される。
【００３３】
　第２パネル４０が閉状態まで戻されると、第２位置検出器は第２パネル４０の閉状態を示す信号を送出する。ＣＰＵ１００は、第２位置検出器からの信号により第２駆動源１９の駆動を停止する。
【００３４】
　図６に示す状態は、電子機器１０の表示装置や操作面を最大限に展開することができるモードである。即ち、第２パネル４０の操作面４５には、複数の操作釦類５０と、例えばチューナ等の選局用の表示装置５１が傾斜した状態で配置され、チューナの選局操作等が容易である。また、第１パネル３０の操作釦３６や、液晶等の表示装置３７が前面に配置されることから、例えば表示装置３７をレベルメータやスペクトラム表示として利用すれば、表示面と操作面の拡大が図れる。
【００３５】
　挿入操作モードの開動作及び閉動作の説明
　図７は、挿入操作モードの開状態を示す電子機器１０の要部構造図である。
【００３６】
　上記同様に第２パネル４０の操作面４５に配置された挿入操作釦４７が操作者によって押下されると、ＣＰＵ１００は、第１位置検出手段１０４及び第２位置検出手段１０５から閉状態を示す信号を検出すると共に、挿入操作釦４７が押下されたことを検出すると、第１駆動源１５を駆動し、第１ラック１３による第１パネル３０の開動作を開始する。第２パネル４０を駆動する第２ラック１８の第１駆動源１５は、第１ラック１３上に載置されているので、第１パネル３０の開動作を行うと、第２パネル４０は、第１パネル３０に載置された状態で開動作を行う。
【００３７】
　ＣＰＵ１００は、第１駆動源１５に制御信号を送出し、第１駆動源１５に内蔵された駆動モータを正方向に回転駆動する。第１ギア１６の回転により第１ラック１３が矢印Ａ方向に移動する。第２パネル４０は第１パネル３０に載置された状態で回動される。ＣＰＵ１００は、第１位置検出器から第１パネル３０が開動作を終了した時の検出信号を受けると第１駆動減１５を停止する。
【００３８】
　図７に示す状態は、電子機器１０に記録媒体を挿入することができると共に、第２パネル４０の操作面４５が傾斜した状態で配置され、操作性の向上と機能の向上が図れる。
【００３９】
　ＣＰＵ１００は、第２パネル４０の閉釦４９が押下されたことを検出すると、第１位置検出器及び第２位置検出器の信号から、電子機器１０が挿入操作モードであると判断し、第１駆動減１５の駆動モータを逆回転するように制御する。
【００４０】
　第１パネル３０は、第１ラック１３により矢印Ｃ方向の力を受けると、第１パネル３０のガイドピン３２が筐体１１の摺動溝１２に沿って移動する。筐体１１の摺動溝３３の下端部はＬ状に湾曲しているので、矢印Ｄ方向の応力が生じ、第１パネル３０の天部は容易に上方に摺動される。第１パネル３０が閉位置まで戻されると、第１位置検出器は第１パネル３０の閉状態を示す信号を送出する。ＣＰＵ１００は、第１位置検出器からの信号により第１駆動源１５の駆動を停止する。
【００４１】
　　操作拡大モードの開動作及び閉動作の説明
　図８は、操作拡大モードの開動作を示す電子機器１０の要部構造図である。
【００４２】
　上記同様、第２パネル４０の操作面４５に配置された挿入操作釦４７が操作者によって押下されると、ＣＰＵ１００は、第１位置検出手段１０４及び第２位置検出手段１０５から閉状態を示す信号を検出すると共に、挿入操作釦４７が押下されたことを検出すると、第１駆動源１５を駆動し、第１ラック１３による第１パネル３０の開動作を開始する。操作拡大モードは、一旦図７に示す挿入操作モードの開動作を行った後、第２パネル４０の開動作を行うように構成している。
【００４３】
　即ち、ＣＰＵ１００は、先ず第１パネル３０と第２パネル４０の載置状態の開動作を行い、第１位置検出器により第１パネル３０の開動作が終了したことを検出すると、第１駆動源１５の駆動を停止すると共に、続いて第２駆動源１９の駆動モータを正方向に回転するように制御する。第２駆動源１９は第１ラック１３に載置された状態で挿入操作モードの開位置まで移動しているが、当該開位置から第２ラック１８を矢印Ａ方向に駆動する。ＣＰＵ１００は、表示操作モードと同様の動作で第２パネル４０の開動作を行う。
【００４４】
　図８に示す電子機器１０の状態は、操作面及び表示装置が拡大されると共に、記録媒体が挿入可能な状態となり、操作性の向上と機能の向上が図れる。
【００４５】
　ＣＰＵ１００は、第２パネル４０の閉釦４９が押下されたことを検出すると、第１位置検出器及び第２位置検出器の信号から、電子機器１０が操作拡大モードであると判断し、第２駆動減１９の駆動モータを逆回転する。ＣＰＵ１００は、一旦挿入操作モードの状態まで第２パネル４０の閉動作を行う。そして、第２パネル４０の閉動作が完了した後、ＣＰＵ１００は第１パネル３０の閉動作を行う。即ち、ＣＰＵ１００は、第１パネル３０と第２パネル４０の載置状態での閉動作を行い、第１位置検出器による第１パネル３０の閉位置を検出した後、第１駆動源１５の駆動を停止し、操作拡大モードの閉動作を終了する。
【００４６】
　また、操作拡大モードは、一旦表示挿入モードの状態に移行することができる。即ち、操作拡大モードの状態で、第１パネル３０を閉動作すると第１パネル３０と第２パネル４０とが協働して閉動作をする。そして、第１パネル３０の閉動作が終了した後に、第２パネル４０の閉動作を行えば、操作拡大モードの閉動作が終了する。従って、操作拡大モードの閉動作において、初めに第２パネル４０の閉動作を行えば、挿入操作モードへの移行動作が行えるし、初めに第１パネル３０の閉動作を行えば、表示操作モードへの移行動作が行える。
【００４７】
　次に、本発明の一実施形態による電子機器１０のシステム全体の動作を図９乃至図１２のフロー図に基づき詳細に説明する。
【００４８】
　図９において、ＣＰＵ１００は、第２パネル４０の操作面４５の各種操作釦が押下されるのを常時監視（ステップＳ１）し、ステップＳ２で押下された釦の種類に応じて以下の判断をする。
【００４９】
　ステップＳ２において、表示操作釦４６が押下された場合は、ステップＳ３に移行し、第１パネル３０及び第２パネル４０が開状態か閉状態かを判断する。閉状態の場合は、ステップＳ４に移行し、第２パネル４０の開動作を行う。ステップＳ５で開動作における第２パネル４０の位置検出を行う。第２位置検出器から第２パネル４０の開状態の信号を検出すると、ステップＳ６で第２駆動源１９の駆動を停止し、表示操作モードの開動作を終了する。
【００５０】
　一方、ステップＳ３において、パネルが開状態の場合は、ステップＳ７に移行し、電子機器１０のパネルが挿入操作モード（図７）の状態にあるか否かを判断する。挿入操作モードの場合は、挿入操作モードから表示操作モードへ移行する以下の動作を行う。即ち、ステップＳ８に移行し、第１パネル３０に第２パネル４０を載置した状態で一旦第１パネル３０の閉動作を行う。ステップＳ９において、第１パネル３０の位置検出を行い、第１パネル３０が閉状態であることを示す第１位置検出器の信号を検出した場合は、ステップＳ１０において第１駆動源１５を停止する。次いで、ステップＳ１１において、第２パネル４０の開動作を実行し、第２パネル４０が開状態に至ったことを位置検出（ステップ１２）すると、ステップＳ１２に移行して第２駆動源１９の駆動を停止し、挿入操作モードから表示操作モードへの移行動作を終了する。
【００５１】
　一方、ステップＳ７において、電子機器１０が挿入操作モードにない場合は、ステップＳ１４に移行し、操作拡大モードにあるか否かを判断する。ステップＳ１４で操作拡大モードでないと判断された場合は、電子機器１０が取り得る形態にない状態なので、例えば表示装置５１にエラー表示をして動作を終了する。また、ステップＳ１４で操作拡大モードと判断された場合は、操作拡大モードから表示操作モードに移行する動作を以下に行う。即ち、ステップＳ１５に移行し、第１パネル３０と第２パネル４０を協働して閉動作を行う。ステップＳ１６で第１パネル３０の閉状態を監視し、第１パネル３０が閉状態に至ったことを検出するとステップＳ１７で第１駆動源１５の駆動を停止し、操作拡大モードから表示操作モードへの移行動作を終了する。
【００５２】
　上記ステップＳ２において、表示操作釦４６が押下されていない場合は、図１０に示すステップＳ１８に移行する。ステップＳ１８において挿入操作釦４７が押下されたと判断された場合は、ステップＳ１９で第１パネル３０と第２パネル４０の開閉状態を判断し、閉状態の場合は以下の処理を行う。ステップＳ２０において第１パネル３０が第２パネル４０を載置した状態で開動作を行う。ステップＳ２１で第１パネル３０の位置検出を行い、開動作が終了した場合は、ステップＳ２２に移行して第１駆動源１５の駆動を停止する。ステップＳ１９で電子機器１０が挿入操作モードでない場合は、ステップＳ２３に移行する。ステップＳ２３で電子機器１０が表示操作モードの場合は、表示操作モードから挿入操作モードへ移行の動作を行う。即ち、ステップＳ２４で第１パネル３０の開動作を行い、ステップＳ２５で第１パネル３０の位置検出を行い、開動作が終了した場合は、ステップＳ２６で第１駆動源１５の駆動を停止し、表示操作モードから挿入操作モードへの移行動作を終了する。
【００５３】
　また、ステップＳ２３において電子機器１０が表示操作モードにない場合は、ステップＳ２７に移行する。電子機器１０が操作拡大モードにない場合は、表示装置５１にエラー表示をする。ステップＳ２７において電子機器１０が操作拡大モードの場合は、ステップＳ２８に移行し、操作拡大モードから挿入操作モードへ移行の動作を行う。即ち、ステップＳ２８において第２パネル４０の閉動作を行う。次いで、ステップＳ２９で第２パネル４０の位置検出を行い、開動作が終了した場合は、ステップＳ３０で第２駆動源１９の駆動を停止し、操作拡大モードから挿入操作モードへの移行動作を終了する。
【００５４】
　ステップＳ１８において、挿入操作釦４７が押下されていない場合は、図１１のステップＳ３１に移行する。ステップＳ３１において操作拡大釦４８が押下されている場合は、ステップＳ３２に移行し、電子機器１０が閉状態にあるか否かを判断する。電子機器１０が閉状態の場合は、以下操作拡大モードへの開動作を行う。即ち、ステップＳ３３において、第１パネル３０と第２パネル４０の載置状態の開動作を行う。次いで、ステップＳ３４で第１パネル３０の位置検出を行い、開動作が終了した場合は、ステップＳ３５で第１駆動源１５を停止する。次いで、ステップＳ３６において、第２パネル４０の開動作を行い、ステップＳ３７で第２パネル４０の位置検出を行い、開動作が終了した場合は、ステップＳ３８で第２駆動源１９の駆動を停止し、操作拡大モードの動作を終了する。
【００５５】
　上記ステップＳ３２で電子機器１０が閉状態にない場合は、ステップＳ３９に移行する。ステップＳ３９で電子機器１０が表示操作モードである場合は、表示操作モードから操作拡大モードへの移行動作を行う。ステップＳ４０において、第１パネル３０と第２パネル４０は協働開動作を行う。次いで、ステップＳ４１で第１パネル３０の位置検出を行い、第１パネル３０の開動作が終了した場合は、ステップＳ４２で第１駆動源１５及び第２駆動源１９の駆動を停止し、表示操作モードから操作拡大モードへの移行動作を終了する。
【００５６】
　また、ステップＳ３９で電子機器１０が表示操作モードでない場合は、ステップＳ４３に移行する。電子機器１０が挿入操作モードにない場合は、エラー表示を行う。電子機器１０が挿入操作モードの場合は、以下、挿入操作モードから操作拡大モードへの移行動作を行う。ステップＳ４４において、第２パネル４０の開動作を行い、ステップＳ４５で第２パネル４０の位置検出を行う。第２パネル４０の開動作が終了した場合は、ステップＳ４６で第２駆動源１９の駆動を停止し、挿入操作モードから操作拡大モードへの移行動作を終了する。
【００５７】
　上記、ステップＳ３１において、操作拡大釦４８が押下されていない場合は、閉釦４９が押下されたと判断し、図１２のステップＳ４７において、各モードからの閉動作を行う。
【００５８】
　ステップＳ４７おいて、電子機器１０が表示操作モードの場合は、ステップＳ４８〜Ｓ５０において図１０に示すステップＳ２８以降の第２パネル４０の閉動作と同じステップを実行して、表示操作モードの閉動作を終了する。
【００５９】
　また、ステップＳ４７で電子機器１０が表示操作モードでないと判断された場合は、ステップＳ５１に移行する。ステップＳ５１で電子機器１０が挿入操作モードにある場合は、ステップＳ５２に移行し、第１パネル３０と第２パネル４０を載置した状態の閉動作を行う。ステップＳ５３で第１パネル３０の位置検出を行い、第１パネル３０の開動作が終了した時は、ステップＳ５４に移行し、第１駆動源１５の駆動を停止し、挿入操作モードの閉動作を終了する。
【００６０】
　また、ステップＳ５１において、電子機器１０が挿入操作モードでない場合は、ステップＳ５５に移行する。ステップＳ５５で電子機器１０は操作拡大モードでない場合は、エラー表示を行う。また、電子機器１０が挿入操作モードの場合は、図１０のステップＳ２８からステップＳ３０の第２パネル４０の閉動作と同一の動作をステップＳ５６からステップＳ５８で行った後、ステップＳ５２からステップＳ５４の処理を行い、操作拡大モードの閉動作を終了する。
【００６１】
　尚、操作拡大モードは、一旦図７に示す挿入操作モードの開動作を行った後、第２パネル４０の開動作を行うように説明したが、第１駆動源１５と第２駆動源１９を同時に駆動するように構成しても良い。即ち、第１パネル３０は、第１駆動源１５で駆動された第１ラック１３により開動作をすると共に、移動する第１ラック１３に載置された状態で第２駆動源１９で駆動される第２ラック１８により第２パネル４０が開動作を行うので、閉状態から操作拡大モードへの移行動作がより速やかに行われる。
【００６２】
　また、操作拡大モードの閉動作において、一旦挿入操作モードにしてから第１パネル３０が第２パネル４０を載置した状態で閉動作を行うように説明したが、上記同様に第１パネル３０と第２パネル４０を同時に閉動作を行うようにしても良い。
【００６３】
　上述したように、本実施形態における電子機器１０は、２つのパネルで構成することで、表示操作モード、挿入操作モード、操作拡大モードの３つのモードを選択することができる。いずれの場合も操作性や機能の向上が図れる。特に操作拡大モードは、操作面と表示面積が拡大されると共に、記録媒体の挿入が可能であり、ＣＤからＭＤへの編集ダビングの複雑な操作や編集モード表示等が容易に可能となり、操作性の向上と操作面の拡大が可能である。
【図面の簡単な説明】
【００６４】
【図１】本発明の実施形態による電子機器の要部構造図。
【図２】本発明の実施形態による電子機器の第１パネル３０の拡大図。
【図３】本発明の実施形態による電子機器の第２パネル４０の拡大図。
【図４】本発明の実施形態による電子機器のブロック図。
【図５】本発明の実施形態による電子機器の表示操作モードの初期の開状態を示す要部構造図。
【図６】本発明の実施形態による電子機器の表示操作モードの開状態を示す要部構造図。
【図７】本発明の実施形態による電子機器の挿入操作モードの開状態を示す要部構造図。
【図８】本発明の実施形態による電子機器の操作拡大モードの開状態を示す要部構造図。
【図９】本発明の実施形態による電子機器のフロー図。
【図１０】図９のフロー図の続き。
【図１１】図９のフロー図の続き。
【図１２】図９のフロー図の続き
【符号の説明】
【００６５】
　１０・・・電子機器
　１１・・・筐体
　１２、３３・・・摺動溝
　１３・・・第１ラック
　１４・・・保持部
　１５・・・第１駆動源
　１６・・・第１ギア
　１７・・・回動ピン
　１８・・・第２ラック
　１９・・・第２駆動源
　２０・・・第２ギア
　２３・・・ＣＤ再生装置
　２４・・・ＭＤ再製装置
　３０・・・第１パネル
　４０・・・第２パネル
【図１】
2004119005.tif 000003
【図２】
2004119005.tif 000004
【図３】
2004119005.tif 000005
【図４】
2004119005.tif 000006
【図５】
2004119005.tif 000007
【図６】
2004119005.tif 000008
【図７】
2004119005.tif 000009
【図８】
2004119005.tif 000010
【図９】
2004119005.tif 000011
【図１０】
2004119005.tif 000012
【図１１】
2004119005.tif 000013
【図１２】
2004119005.tif 000014